(57)【特許請求の範囲】
【請求項１】
浴槽水位を検知する水位センサを備えずに、浴槽への湯張り量を制御することによって所望の水位まで浴槽へ湯張りする自動風呂装置において、
浴槽への湯張り量を任意の設定量に設定する湯張り量設定手段と、
湯張り開始指令を受けて浴槽へ湯張りを開始する湯張り手段と、
湯張り量を検出する流量検出手段と、
上記湯張りに先だって浴槽の残湯有無を判定する残湯判定手段と、
上記湯張り手段によって湯張りされる湯張り量を、上記残湯判定手段によって残湯が無いと判定されれば上記湯張り量設定手段によって設定された設定量とし、残湯が有ると判定されれば上記設定量よりも少なく、かつ、上記設定量に応じて決定される設定量とし、上記流量検出手段を用いて湯張り量を制御する湯張り量制御手段とを設けたことを特徴とする自動風呂装置。
【請求項２】
浴槽水位を検知する水位センサを備えずに、浴槽への湯張り量を制御することによって所望の水位まで浴槽へ湯張りする自動風呂装置において、
浴槽への湯張り量を任意の設定量に設定する湯張り量設定手段と、
たし湯の開始指令を受けて浴槽へたし湯を開始するたし湯手段と、
たし湯量を検出する流量検出手段と、
上記湯張り量設定手段により設定された設定量に応じて、上記たし湯手段によるたし湯量を決定し、上記流量検出手段を用いてたし湯量を制御するたし湯量制御手段とを設けたことを特徴とする自動風呂装置。
【請求項３】
浴槽水位を検知する水位センサを備えずに、浴槽への湯張り量を制御することによって所望の水位まで浴槽へ湯張りする自動風呂装置において、
浴槽への湯張り量を任意の設定量に設定する湯張り量設定手段と、
差し水の開始指令を受けて浴槽へ差し水を開始する差し水手段と、
差し水量を検出する流量検出手段と、
上記湯張り量設定手段により設定された設定量に応じて、上記差し水手段による差し水量を決定し、上記流量検出手段を用いて差し水量を制御する差し水量制御手段とを設けたことを特徴とする自動風呂装置。
【発明の詳細な説明】
【０００１】
【産業上の利用分野】
本発明は自動風呂装置に関し、詳しくは水位センサを備えずに、湯張り量を制御することによって所望の水位まで浴槽へ湯張りする自動風呂装置に関する。
【０００２】
【従来の技術】
従来より、浴槽水位を検知する水位センサを備えず、浴槽への落とし込み量を制御することによって所望の浴槽水位が得られるようにした自動風呂装置が知られている。
例えば、図２に示すように、給湯回路２０と追焚回路１９とを接続する落とし込み回路２１に、落とし込み流量を検知する落とし込み流量センサ３３と、落とし込み流路の開閉制御を行なう落とし込み電磁弁３４とが設けられ、制御を統轄するコントローラ１８へと電気的に接続されて、浴槽２２への落とし込み量を制御している。
浴槽２２への落とし込みは、湯張りを行う場合、湯量を増やす場合、湯をぬるめにしたい場合があって、使用者がリモコンに設けられた各々のボタンを選択して押すことにより開始される。
浴槽２２への湯張りの場合には、浴槽の残湯有無によって、湯張り量を自動的に変えて落とし込まれる。即ち、残湯が無ければ、あらかじめ任意にリモコン１７へ設定された目標の設定湯張り量Ｑ０に達するまで、浴槽２２へ湯張りし、もし、浴槽２２に残湯があれば低減した所定の湯張り量Ｑｈに達するまで湯張りを行う。
また、浴槽２２への湯張り後において、浴槽２２の湯量を増やしたい場合には、所定のたし湯量Ｑｔの湯を落とし込んで水位を増し、湯温をぬるくしたい場合には、所定の差し水量Ｑｓの水を落とし込んで湯をぬるめる。
【０００３】
コントローラ１８による湯張りの制御を更に詳しく、図６のフローチャートに基づいて説明する。
まず、リモコン１７における湯張りボタン１２（図３）を押すと湯張りがスタートし（Ｓ５１）、コントローラ１８は、落とし込み電磁弁３４を開弁すると共に、給湯燃焼を開始し、給湯回路２０から浴槽２２への落とし込みを行う（Ｓ５２）。次に、落とし込み流量センサ３３からの信号によって、落とし込み量の積算を開始し（Ｓ５３）、１０リットルに達すると（Ｓ５４）、一旦、給湯回路２０から浴槽２２への落とし込みを停止する（Ｓ５５）。
そして、浴槽内に残湯が有るか否かを判定する（Ｓ５６）。残湯判定は、追焚回路１９に設けられた循環ポンプ２５を作動した時に水流スイッチ２６がＯＮするか否かによって判定される。
コントローラ１８は、残湯がないと判定した場合には、リモコン１７に予め設定された目標の設定湯張り量Ｑ０に達するまで湯張りをする。
まず、落とし込み電磁弁３４を開弁し（Ｓ６２）、そして、湯張り量が設定湯張り量Ｑ０に達したか否かを判定し（Ｓ６３）、設定湯張り量Ｑ０になれば落とし込み電磁弁３４を閉弁する（Ｓ５９）。続いて、設定温度Ｔ０℃に達するまで（Ｓ６０）追焚を行った後に湯張りを終了する（Ｓ６１）。
もし、ステップ５６において、残湯があると判定した場合には設定湯張り量Ｑ０より少ない量の所定の湯張り量Ｑｈの湯張りをする（Ｓ５３→Ｓ５７）。
尚、途中で湯張りを止めたい時には、再度湯張りボタンを押すことによって湯張りを停止する。
【０００４】
また、浴槽２２への湯張り後において、浴槽２２の湯量を増やしたい場合に湯を追加する、たし湯という機能を備えている。
図７（イ）のフローチャートは、浴槽の湯量を増やしたい場合のたし湯の制御を示している。
リモコン１７におけるたし湯ボタン３（図３）を押すとコントローラ１８は、たし湯をスタートする（Ｓ７０）。
まず、落とし込み電磁弁３４を開弁すると共に給湯燃焼を開始し（Ｓ７１）、給湯回路２０から浴槽２２へのたし湯を行う。同時に、落とし込み流量センサ３３からの信号によって、たし湯量の積算を開始する（Ｓ７２）。そして、コントローラ１８は、たし湯量が所定のたし湯量Ｑｔに達したか否かを判定し（Ｓ７３）、所定のたし湯量Ｑｔになれば落とし込み電磁弁３４を閉弁すると共に給湯燃焼を停止して（Ｓ７４）たし湯を終了する（Ｓ７５）。
尚、途中でたし湯を止めたい時には同様に、再度、たし湯ボタン３を押すことによって停止する。
【０００５】
また、浴槽２２への湯張り後において、浴槽２２の湯温をぬるくしたい場合に水を追加する、差し水という機能を備えている。
図７（ロ）のフローチャートは、浴槽への湯張り後に湯温をぬるくしたい場合のコントローラによる制御を示している。
リモコン１７におけるぬるめボタン２（図３）を押すとコントローラ１８は、差し水をスタートする（Ｓ８０）。
まず、落とし込み電磁弁３４を開弁し（Ｓ８１）、給湯回路２０から非燃焼状態で浴槽２２へのさし水を行う。同時に、落とし込み流量センサ３３からの信号によって、差し水量の積算を開始する（Ｓ８２）。そして、コントローラ１８は、差し水量が所定の差し水量Ｑｓに達したか否かを判定し（Ｓ８３）、所定の差し水量Ｑｓになれば落とし込み電磁弁３４を閉弁して（Ｓ８４）差し水を終了する（Ｓ８５）。
尚、途中でぬるくしたくない時には再度ぬるめボタン２を押すことによって停止する。
【０００６】
【発明が解決しようとする課題】
しかしながら、こうした自動風呂装置においては、残湯がある場合の湯張り量、浴槽２２の湯量を増加したい場合のたし湯量、浴槽２２内の湯温をぬるくしたい場合の差し水量が、浴槽２２容積の大・小があるとこれらの機能が充分に発揮できない問題があった。
従来は、上述の他、特開平５−３４００８号公報にも示されるように、残湯があった場合に、湯張り量を少なくすることによって浴槽からの湯あふれを防止していた。あるいは、湯張り中に湯張りボタン１２を再度押すことによって湯張りを途中で停止し湯あふれを防止していた。
しかし、残湯があった場合の低減された湯張り量は固定値であって、大きな浴槽の場合には湯量が不足したり、小さな浴槽の場合にはうっかり停止操作を怠ると浴槽から湯をあふれさせてしまうという不具合があった。従って、浴槽容積の大・小によっては、不適切になりこれらの機能の使用勝手を悪くすることとなっていた。
【０００７】
更に、残湯がある場合の湯張り量だけでなく、たし湯量、差し水量についても同様に固定値であって浴槽の大きさに応じて変更することはできず、浴槽の大きさによっては多過ぎたり少な過ぎたりする問題があった。
【０００８】
浴槽の容積は、１８０リットルを標準に、小さい浴槽から大きな浴槽まで１２０〜３００リットルもの範囲幅がある。
例えば、残湯が有る場合の湯張り量について、６０リットルの固定値とすると、大きな浴槽では１／５の湯量の増加しかならないのに対して、小さな浴槽では１／２も増加してしまうことになる。
また、たし湯については、標準浴槽で２．５ｃｍの湯面の上昇を見込む量の固定値であれば、大きな浴槽では約１．７ｃｍしか上昇しないのに対して小さな浴槽では約５ｃｍも上昇してしまうことになる。
また、差し水については、１０リットル固定値で４４℃の湯に差し水するとすると、大きな浴槽では１．４℃しか温度低下をしないのに対して 小さな浴槽では３．１℃もぬるくなっててしまうということになる。
【０００９】
かといって、浴槽の大きさに応じて、残湯がない場合の湯張り量、残湯がある場合の湯張り量、たし湯量、差し水量を各々設定しなければならないことも面倒なことである。
本発明の自動風呂装置は上記課題を解決し、たとえ浴槽の大きさが異なったとしても、残湯がある場合の湯張り量、たし湯量、差し水量を自動的に適正に変更し、これらの機能を充分に発揮する使用勝手の良い自動風呂装置を提供することを目的とする。
【００１０】
【課題を解決するための手段】
上記課題を解決する本発明の自動風呂装置は、図１（イ）に例示するように、
浴槽水位を検知する水位センサを備えずに、浴槽Ａへの湯張り量を制御することによって所望の水位まで浴槽Ａへ湯張りする自動風呂装置において、
浴槽Ａへの湯張り量を任意の設定量に設定する湯張り量設定手段Ｍ１と、
湯張り開始指令を受けて浴槽Ａへ湯張りを開始する湯張り手段Ｍ３と、
湯張り量を検出する流量検出手段Ｍ４と、
上記湯張りに先だって浴槽Ａの残湯有無を判定する残湯判定手段Ｍ５と、
上記湯張り手段Ｍ３によって湯張りされる湯張り量を、上記残湯判定手段Ｍ５によって残湯が無いと判定されれば上記湯張り量設定手段Ｍ１によって設定された設定量とし、残湯が有ると判定されれば上記設定量よりも少なく、かつ、上記設定量に応じて決定される設定量とし、上記流量検出手段Ｍ４を用いて湯張り量を制御する湯張り量制御手段Ｍ２とを設けたことを要旨とする。
【００１１】
又、第２の発明の自動風呂装置は、図１（ロ）に例示するように、
浴槽水位を検知する水位センサを備えずに、浴槽Ａへの湯張り量を制御することによって所望の水位まで浴槽Ａへ湯張りする自動風呂装置において、
浴槽Ａへの湯張り量を任意の設定量に設定する湯張り量設定手段Ｍ１と、
たし湯の開始指令を受けて浴槽Ａへたし湯を開始するたし湯手段Ｍ１３と、
たし湯量を検出する流量検出手段Ｍ４と、
上記湯張り量設定手段Ｍ１により設定された設定量に応じて、上記たし湯手段Ｍ１３によるたし湯量を決定し、上記流量検出手段Ｍ４を用いてたし湯量を制御するたし湯量制御手段Ｍ１２とを設けたことを要旨とする。
【００１２】
又、第３の発明の自動風呂装置は、図１（ハ）に例示するように、
浴槽水位を検知する水位センサを備えずに、浴槽Ａへの湯張り量を制御することによって所望の水位まで浴槽Ａへ湯張りする自動風呂装置において、
浴槽Ａへの湯張り量を任意の設定量に設定する湯張り量設定手段Ｍ１と、
差し水の開始指令を受けて浴槽Ａへ差し水を開始する差し水手段Ｍ２３と、
差し水量を検出する流量検出手段Ｍ４と、
上記湯張り量設定手段Ｍ１により設定された設定量に応じて、上記差し水手段Ｍ２３による差し水量を決定し、上記流量検出手段Ｍ４を用いて差し水量を制御する差し水量制御手段Ｍ２２とを設けたことを要旨とする。
【００１３】
【作用】
上記構成を有する第１の発明の自動風呂装置は、残湯判定手段Ｍ５によって浴槽Ａに残湯が有ると判定されれば、湯張り量制御手段Ｍ２が、湯張り量設定手段Ｍ１による設定量に応じて設定量より少ない設定量に湯張り量を変更し、流量検出手段Ｍ４を用いて湯張り量を制御する。
従って、予め設定された目標の湯張り量である設定量に応じて、残湯が有る場合の湯張り量である設定量を決定するので、浴槽水位を検出する水位センサを備えない自動風呂装置において浴槽Ａの大きさが異なっても適正湯量の湯張りができる。
つまり、浴槽Ａが小さければ目標の湯張り量である設定量は予め少なく設定されており、残湯が有る場合に、この設定量に応じて湯張り量が少なくなるので湯張り量を適正にできる。また、浴槽Ａが大きければ、目標の湯張り量である設定量は予め多く設定されており、残湯が有る場合に、この設定量に応じて湯張り量が多くなるので湯張り量を適正にできる。
【００１４】
また、第２の発明の自動風呂装置は、たし湯量制御手段Ｍ１２が湯張り量設定手段Ｍ１による設定量に応じてたし湯量を変更し、流量検出手段Ｍ４を用いて湯張り量を制御する。
従って、予め設定された目標の湯張り量である設定量に応じてたし湯量が増減するので、浴槽水位を検出する水位センサを備えない自動風呂装置において浴槽Ａの大きさが異なっても適正湯量のたし湯が得られる。
つまり、浴槽Ａが小さければ、目標の湯張り量である設定量は予め少なく設定されており、この設定量に応じてたし湯量が少なくなるのでたし湯量を適正にできる。また、浴槽Ａが大きければ、目標の湯張り量である設定量は予め多く設定されており、この設定量に応じてたし湯量が多くなるのでたし湯量を適正にできる。
従って、浴槽Ａの湯量を増やしたい場合に、浴槽Ａが小さければ湯を溢れさせて湯を無駄に捨てることが起こらず、浴槽Ａが大きければ何度もたし湯操作を行わなければならないという不都合が起こらない。
【００１５】
また、第３の発明の自動風呂装置は、差し水量制御手段Ｍ２２が湯張り量設定手段Ｍ１による設定量に応じて差し水量を変更し、流量検出手段を用いて湯張り量を制御する。
従って、予め設定された目標の湯張り量である設定量に応じて差し水量が増減するので、浴槽水位を検出する水位センサを備えない自動風呂装置において浴槽Ａの大きさが異なってもぬるめの湯温を適正に得ることができる。
つまり、浴槽Ａが小さければ、目標の湯張り量である設定量は予め少なく設定されており、この設定量に応じて差し水量が少なくなるので差し水量を適正にできる。また、浴槽Ａが大きければ、目標の湯張り量である設定量は予め多く設定されており、この設定量に応じて差し水量が多くなるので差し水量を適正にできる。
従って、ぬるめにしたい場合に、浴槽Ａが小さければ湯温がぬるく成り過ぎず、浴槽Ａが大きければ何度も差し水操作を行わなければならないという不都合が起こらない。
【００１６】
【実施例】
以上説明した本発明の構成・作用を一層明らかにするために、以下本発明の自動風呂装置の好適な実施例について説明する。
図２に示すように、自動風呂装置は、２缶２水路であって給湯回路２０と追焚回路１９とが設けられる。
追焚回路１９には、浴槽２２に接続される循環回路を形成し、水温を検知する感温センサ２４、浴槽水を循環させる循環ポンプ２５、この循環水の流れを確認する水流スイッチ２６、燃焼熱量を循環水へ受け渡す熱交換器４２が設けられる。
【００１７】
他方、給湯回路２０の流路には、供給圧の変動があっても流量変動を所定量以下に保つ水ガバナ２７、入水温を検知する入水温センサ２８、入水量を検知する流量センサ２９、燃焼熱量を流水に受け渡す熱交換器５２、熱交換後の湯温を検知する出湯温度センサ３０が設けられる。そして、この下流で給湯カラン２３へと接続される。
給湯回路２０と追焚回路１９とは落とし込み回路２１で接続され、この落とし込み回路２１には、給湯回路２０から追焚回路１９への流量を検知する落とし込み流量センサ３３、落とし込み流路を開閉する落とし込み電磁弁３４、逆流を防止する逆止弁３５、３７、流路内の負圧を防止するバキュームブレーカ３６が設けられる。
【００１８】
また、ガス流路は、上流にガス流路を開閉する元電磁弁４８が設けられ、その下流で給湯側および追焚側の各々のガス流路へと分岐している。これらのガス流路にはガス流路を開閉するメイン電磁弁４６、５６がそれぞれ設けられ、各々独立した燃焼制御が行われる。
更に、給湯側および追焚側の各々には、燃焼用空気を燃焼室へ送り込むファン４０、５０、バーナ４１、５１、排気を導き排出する排気筒により燃焼・給排気経路が構成されている。
また、各々のバーナ４１、５１には放電によりガスへ着火する電極４３、５３、燃焼炎を検知するフレームロッド４４、５４が設けられ、前記のセンサ類・アクチュエータ類と共にコントローラ１８へと電気的に接続され出湯・追焚・停止等所定の制御の他、後述する湯張り・たし湯・ぬるめ制御が行われる。
【００１９】
また、浴室内等から遠隔操作ができるリモコン１７が設けられ、制御を統轄するコントローラ１８へと接続されている。図３に示すようにリモコン１７には、運転および設定待機状態にする運転ボタン９、目標湯温や目標湯量を増減する増減ボタン４、１１、設定される湯温および湯量を表示する表示部１３、ふろの目標の湯張り量を設定する湯量ボタン１０、浴槽２２への湯張りを開始させる湯張りボタン１２、各々の運転状態を表示する各々のランプ５〜７、１４〜１６、浴槽２２ヘの湯量を増やすたし湯ボタン３、差し水により浴槽２２の湯温をぬるくするぬるめボタン２が設けられる。
【００２０】
浴槽２２への目標湯張り量Ｑ０は、リモコン１７の湯量ボタン１０を押すと表示部１３が湯量表示に切り替わり、この表示湯量を確認しながら増減ボタン４を操作し、目標の設定湯張り量Ｑ０になったら、再度、湯量ボタン１０を押すことによって設定される。尚、設定湯張り量Ｑ０はリモコン１７の運転ボタン９をＯＦＦにしてもコントローラ１８に記憶されている。
【００２１】
使用者は、目標の設定湯張り量Ｑ０をリモコン１７にあらかじめ設定している。そこで、この設定湯張り量Ｑ０は、浴槽２２の大きさに応じた値と判断して良い。
従って、コントローラ１８は、残湯が有った場合の湯張り量、たし湯量、差し水量をこの設定湯張り量Ｑ０を基に算出することによって、浴槽２２の大きさに応じた適正量の落とし込み制御を行う。
【００２２】
まず、コントローラ１８の実行する湯張りの制御について、図４に示すフローチャートに基づいて説明する。
リモコン１７における湯張りボタン１２を押すと湯張り制御がスタートし（Ｓ１）、コントローラ１８は、落とし込み電磁弁３４を開弁すると共に、給湯燃焼を開始し、給湯回路２０から浴槽２２への落とし込みを行う（Ｓ２）。次に、落とし込み流量センサ３３からの信号によって、落とし込み量の積算を開始し（Ｓ３）、１０リットルに達すると（Ｓ４）、一旦、給湯回路２０から浴槽２２への落とし込みを停止する（Ｓ５）。
続いて、浴槽２２内に残湯が有るか否かを判定する（Ｓ６）。残湯判定は、循環ポンプ２５を作動した時に水流スイッチ２６がＯＮするか否かによって判定される。
ステップ６において残湯があると判定した場合には、落とし込み電磁弁３４を開弁し、給湯燃焼を開始し、給湯回路２０から浴槽２２への湯張りを再開する（Ｓ７）。湯張り量は、予め設定された設定湯張り量Ｑ０より少なくし、次式のように、目標の設定湯張り量Ｑ０に一定の掛け率を掛けて変更湯張り量Ｑｘを算出する（Ｓ８）。
変更湯張り量Ｑｘ＝設定湯張り量Ｑ０×１／３・・・・（１式）
次に、コントローラ１８は、湯張り量がこの変更湯張り量Ｑｘに達したか否かを判定し（Ｓ９）、変更湯張り量Ｑｘに達すれば落とし込み電磁弁３４を閉弁する（Ｓ１０）。続いて、設定温度Ｔ０℃に達するまで（Ｓ１１）追焚を行った後に湯張りを終了する（Ｓ１２）。
設定湯張り量Ｑ０は、浴槽２２の大きさに応じてあらかじめ適正に設定されている。従って、この設定湯張り量Ｑ０を基にして、残湯が有る場合の低減した湯張り量を決定するので、浴槽２２の大きさに応じた適正な湯張りができることになる。
また、もし、ステップ６において、残湯がないと判定した場合には、リモコン１７に予め設定された目標の設定湯張り量Ｑ０に達するまで湯張りをする（Ｓ１３→Ｓ１４）。
尚、途中で湯張りを止めたい時には再度湯張りボタン１２を押すと停止する。
【００２３】
次に、浴槽２２の湯量を増やしたい場合のたし湯の制御について、図５（イ）に示すフローチャートに基づいて説明する。
リモコン１７におけるたし湯ボタン３を押すとコントローラ１８は、たし湯制御をスタートする（Ｓ２０）。
まず、落とし込み電磁弁３４を開弁すると共に給湯燃焼を開始し（Ｓ２１）、給湯回路２０から浴槽２２へのたし湯を行う。同時に、落とし込み流量センサ３３からの信号によって、たし湯量の積算を開始する（Ｓ２２）。
そして、次式のように、目標の設定湯張り量に一定の掛け率を掛けてたし湯量Ｑｙを算出する（Ｓ２３）。
たし湯量Ｑｙ＝設定湯張り量Ｑ０×１／９・・・・（２式）
次に、コントローラ１８は、たし湯量がこのたし湯量Ｑｙに達したか否かを判定し（Ｓ２４）、たし湯量Ｑｙに達すれば落とし込み電磁弁３４を閉弁すると共に給湯燃焼を停止して（Ｓ２５）たし湯を終了する（Ｓ２６）。
設定湯張り量Ｑ０は、浴槽２２の大きさに応じてあらかじめ適正に設定されている。従って、この設定湯張り量Ｑ０を基にしてたし湯量を決定するので、浴槽２２の大きさに応じた適正なたし湯ができることになる。
尚、途中でたし湯を止めたい時には、再度たし湯ボタン３を押すと停止する。
【００２４】
次に、浴槽２２の湯温をぬるくしたい場合の差し水の制御について、図５（ロ）に示すフローチャートに基づいて説明する。
リモコン１７におけるぬるめボタン２を押すとコントローラ１８は、差し水制御をスタートする（Ｓ３０）。
まず、落とし込み電磁弁３４を開弁し（Ｓ３１）、給湯回路２０から浴槽２２への差し水を行う。同時に、落とし込み流量センサ３３からの信号によって、差し水量の積算を開始する（Ｓ３２）。
そして、次式のように、目標の設定湯張り量に一定の掛け率を掛けて差し水量Ｑｚを算出する（Ｓ３３）。
差し水量Ｑｚ＝設定湯張り量Ｑ０×１／１８・・・・（３式）
次に、コントローラ１８は、差し水量がこの差し水量Ｑｚに達したか否かを判定し（Ｓ３４）、差し水量Ｑｚに達すれば落とし込み電磁弁３４を閉弁して（Ｓ３５）差し水を終了する（Ｓ３６）。
設定湯張り量Ｑ０は、浴槽２２の大きさに応じてあらかじめ適正に設定されている。従って、この設定湯張り量Ｑ０を基にして差し水量を決定するので、浴槽２２の大きさに応じた適正な差し水ができることになる。
尚、途中でぬるくしたくない時には再度ぬるめボタン２を押すと停止する。
【００２５】
以上本発明の実施例について説明したが、本発明はこうした実施例に何等限定されるものではなく、本発明の要旨を逸脱しない範囲において、種々なる態様で実施し得ることは勿論である。
例えば、変更湯張り量Ｑｘ、たし湯量Ｑｙ、差し水量Ｑｚを算出の際における湯張り設定量Ｑ０への掛け率は、各々の実施例の値に限定されず、別の値の掛け率でも良い。
また、これらの掛け率は、実施例のように一定値に限定されず、湯張り設定量の大きさによって掛け率の値を変えて、実使用の状態に沿って更に補正されても良い。
また、湯張り設定量Ｑ０に応じて、変更湯張り量Ｑｘ、たし湯量Ｑｙ、差し水量Ｑｚがリニアに増減することに限定されず、湯張り設定量Ｑ０に応じて、各々の量が複数段階的に増減しても良い。
【００２６】
【発明の効果】
以上詳述したように、本発明の自動風呂装置によれば、浴槽の大きさに応じて、残湯がある場合の湯張り量、たし湯量、差し水量を自動的に変更し、適正量とすることができる。
つまり、第１の発明の自動風呂装置は、残湯がある場合の湯張り量を浴槽の大きさに応じて適正量にすることができる。また、第２の発明の自動風呂装置は、たし湯量を浴槽の大きさに応じて適正量にすることができる。更に、第３の発明の自動風呂装置は、差し水量を浴槽の大きさに応じて適正量にすることができる。
従って、浴槽の大きさによって、湯を浴槽から溢れさせたり、または、湯張り・たし湯・差し水の追加操作を行わなくても良いため、使い勝手が良く、かつ、経済的であるという優れた効果を奏する。
【図面の簡単な説明】
【図１】本発明の構成を例示するブロック図である。
【図２】自動風呂装置の概略構成図である。
【図３】リモコンの概略図である。
【図４】本発明の実施例に係る湯張り制御を表すフローチャートである。
【図５】本発明の実施例に係るたし湯・差し水制御を表すフローチャートである。
【図６】従来の湯張り制御を表すフローチャートである。
【図７】従来のたし湯・差し水制御を表すフローチャートである。
【符号の説明】
２  ぬるめボタン
３  たし湯ボタン
１２  湯張りボタン
１７  リモコン
１８  コントローラ
１９  追焚回路
２０  給湯回路
２１  落とし込み回路
２２  浴槽
２６  水流スイッチ
２５  循環ポンプ
３３  落とし込み流量センサ
３４  落とし込み電磁弁
【図１】
0003654598.tif 000002
【図２】
0003654598.tif 000003
【図３】
0003654598.tif 000004
【図４】
0003654598.tif 000005
【図５】
0003654598.tif 000006
【図６】
0003654598.tif 000007
【図７】
0003654598.tif 000008